(57)【要約】【課題】  腰部の障害の緩和や予防に十分な効果が得ることができる装置を提供する。【解決手段】  フィットネス装置Ｐは、基部Ａと、回転機構部Ｂと、着座部Ｃとを有していて、基部Ａは、台部１や支柱部３等を有し、回転機構部Ｂは、駆動部２０と、第１軸部３０と、第１ギア４０と、回転ブラケット５０と、第２軸部６０と、第２ギア７０と、タイミングベルト８０等を有している。第２軸部６０と第２ギア７０とは固定されていて、第１ギア４０は、ケース部２２のケース突状部２６に固定されている。よって、駆動部２０が駆動されると、第１軸部３０が回転し、これに伴い、回転ブラケット５０が回転する。すると、第２軸部６０と第２ギア７０は、回転ブラケット５０に対しては回転してこれにより、着座部Ｃは常に正面を向いた状態で旋回することになる。【選択図】        図２
2005095369.tif 000002
【特許請求の範囲】
【請求項１】
フィットネス装置であって、
被施術者が着座するための着座部と、
該着座部を旋回させる回転機構部であって、該着座部を一定の方向に向けた状態で旋回させる回転機構部と、
を有することを特徴とするフィットネス装置。
【請求項２】
フィットネス装置であって、
被施術者が着座するための着座部と、
該着座部を円軌道又は楕円軌道に沿って旋回させる回転機構部であって、該着座部を一定の方向に向けた状態で旋回させる回転機構部と、
を有することを特徴とするフィットネス装置。
【請求項３】
上記フィットネス装置が、回転機構部の動作を制御する制御部で、着座部の旋回方向を所定時間又は所定回数ごとに切り換える制御部を有することを特徴とする請求項１又は２に記載のフィットネス装置。
【請求項４】
フィットネス装置であって、
被施術者が着座するための着座部と、
該着座部を回転させるための回転機構部で、
回転力を出力する回転軸部を有する駆動部と、
該駆動部の回転軸部の回転に伴い回転する回転ブラケットと、
該回転ブラケットに回転自在に設けられ、その端部が該着座部に対して固定され、該回転軸部と所定の距離を介して設けられた回転ユニットで、回転ユニットの回転軸心が該駆動部の回転軸部の回転軸心と平行である回転ユニットで、周面が円弧状又は略円弧状に形成された回転部材を有する回転ユニットと、
該駆動部の回転軸部と同軸に設けられ、フィットネス装置に固定して設けられた固定部材で、その周面が円弧状又は略円弧状に形成された固定部材で、該周面の円弧の径が該回転ユニットにおける回転部材の周面の円弧の径と同じに形成された固定部材と、
該回転ユニットの回転部材と固定部材の間に設けられた連動部材と、
を有し、
該駆動部における回転軸部の回転に伴い、該着座部を一定の方向に向けた状態で旋回させる回転機構部と、
を有することを特徴とするフィットネス装置。
【請求項５】
上記連動部材は、タイミングベルトであることを特徴とする請求項４に記載のフィットネス装置。
【請求項６】
フィットネス装置であって、
被施術者が着座するための着座部と、
該着座部を回転させるための回転機構部で、
回転力を出力する回転軸部を有する駆動部と、
該駆動部の回転軸部に直接又は間接的に固定された回転ブラケットで、該駆動部の回転軸部の回転に伴い回転する回転ブラケットと、
該回転ブラケットに回転自在に設けられ、該駆動部の回転軸部と平行で該回転軸部と所定の距離を介して設けられた第２回転軸部で、その端部が該着座部に対して固定された第２回転軸部と、
該第２回転軸部と同軸に該第２回転軸部に固定された回転部材であって、その周面に円弧状にベルト状部材と噛み合うための歯が設けられた回転部材と、
該駆動部の回転軸部と同軸に設けられ、フィットネス装置に固定して設けられた固定部材で、その周面に円弧状にベルト状部材と噛み合うための歯が設けられた固定部材で、該回転部材と同径に形成された固定部材と、
該回転部材と固定部材とに噛み合う無端形状のベルト状部材と、
を有する回転機構部と、
を有することを特徴とするフィットネス装置。
【請求項７】
上記ベルト状部材は、タイミングベルトであることを特徴とする請求項６に記載のフィットネス装置。
【請求項８】
上記駆動部の回転軸部と回転ブラケット間には、該回転軸部と同軸に接続された回転軸部である接続回転軸部が設けられていることにより、駆動部の回転軸部と回転ブラケットとは間接的に固定されていることを特徴とする請求項６又は７に記載のフィットネス装置。
【請求項９】
上記固定部材は、上記接続回転軸部を回転可能に軸支する筐体部に固定されていることを特徴とする請求項８に記載のフィットネス装置。
【請求項１０】
上記固定部材は、上記駆動部の回転軸部を回転可能に軸支する筐体部に固定されていることを特徴とする請求項４又は５又は６又は７又は８又は９に記載のフィットネス装置。
【請求項１１】
上記回転部材と上記固定部材とは歯付きギア又は歯付きプーリであることを特徴とする請求項４又は５又は６又は７又は８又は９又は１０に記載のフィットネス装置。
【請求項１２】
上記フィットネス装置が、回転機構部における上記駆動部の動作を制御する制御部で、着座部の旋回方向を所定時間又は所定回数ごとに切り換えるように、駆動部の回転方向を所定時間又は所定回数ごとに切り換える制御部を有することを特徴とする請求項４又は５又は６又は７又は８又は９又は１０又は１１に記載のフィットネス装置。
【請求項１３】
上記フィットネス装置は、さらに、上記回転機構部を支持する支柱部を有することを特徴とする請求項１又は２又は３又は４又は５又は６又は７又は８又は９又は１０又は１１又は１２に記載のフィットネス装置。
【請求項１４】
上記支柱部は、回転機構部の高さを調整できるように伸縮自在となっていることを特徴とする請求項１３に記載のフィットネス装置。
【請求項１５】
上記フィットネス装置は、さらに、板状の台部であって、上記支柱部をその上面に支持する台部を有することを特徴とする請求項１３又は１４に記載のフィットネス装置。
【請求項１６】
上記着座部は、被施術者の臀部を置くためのサドル状部を有することを特徴とする請求項１又は２又は３又は４又は５又は６又は７又は８又は９又は１０又は１１又は１２又は１３又は１４又は１５に記載のフィットネス装置。
【請求項１７】
上記サドル状部は、左右対称の形状で、正面側に行くほど幅狭となる形状を呈することを特徴とする請求項１６に記載のフィットネス装置。
【発明の詳細な説明】
【技術分野】
【０００１】
本発明は、フィットネス装置であって、特に、人体における腰痛等の腰部障害を緩和するとともに、該腰部障害を予防するための装置に関するものである。
【背景技術】
【０００２】
従来より、腰痛等の腰部の障害を緩和したり予防したりする装置として種々のものが創作されている。
【０００３】
例えば、回転円板上に起立した状態で人間を搭乗させ、円板に周期的な正逆回転運動を与えて円板上の人間を強制的に捩る装置がある（特許文献１）。
【特許文献１】特開昭５６−１１０６０号  また、軸回りに回動可能で人体を着座させる座体と、座体とは独立し座体上に着座する人体の上半身の向きを規制する背もたれとを備えて、下半身が座体とともに回動されて向きを変えることにより脊椎に自動的に捩りを与えることができるものがある（特許文献２）。
【特許文献２】特開昭６３−１５４１７４号  また、回動自在座面を、回動自在台板に、回転中心をずらし、人力で円運動するように設けたものが存在する（特許文献３）。
【特許文献３】実開平２−１３９６２０号
【発明の開示】
【発明が解決しようとする課題】
【０００４】
しかし、上記特開昭５６−１１０６０号に記載の機器においては、回転円板上に起立した状態で人間を搭乗させ、円板に周期的な正逆回転運動を与えて円板上の人間を強制的に捩るのみであるので、腰部を効果的に捻ることができないとともに、腰部の中心位置を中心に捻るのみであるので、十分な効果を得ることができない。
【０００５】
また、特開昭６３−１５４１７４号に記載の装置においても、腰部を効果的に捻ることができるものの、腰部の中心位置を中心に捻るのみであるので、十分な効果を得ることができない。
【０００６】
また、実開平２−１３９６２０号に記載の装置では、腰部を腰部の中心位置とはずれた回転中心を中心に回転させるので、一見腰部を効果的に回転させて背骨の回りの筋肉をほぐすとともに強化することができるようであるが、人間が座板に座った状態で人間の力で座板を回動させなければならず、座板を回動させようとするあまりに全身が動いてしまい、効果的に回転させることができない。また、座板を人間の力で回動させるには、腰部を回動させなければならないが、座板を回動させようとするあまりに却って腰部に余分な力が入ってしまい、腰部を痛めてしまうおそれがある。また、実開平２−１３９６２０号に記載の装置を用いて腰部を効果的に回転させるには、体は常に一定の方向を向いていなければならないが、座板が常に一定の方向を向いてはいないので、体が一定の方向を向いた状態にしにくく、十分な効果を得ることができない。
【０００７】
そこで、本発明は、腰部の障害の緩和や予防に十分な効果を得ることができる装置を提供することを目的とするものである。
【課題を解決するための手段】
【０００８】
本発明は上記問題点を解決するために創作されたものであって、第１には、フィットネス装置（「腰痛等の腰部障害を緩和及び予防するためのフィットネス装置」としてもよい）であって、被施術者が着座するための着座部と、該着座部を（「該着座部を駆動部の動力により」としてもよい）旋回させる回転機構部であって、該着座部を一定の方向に向けた状態で旋回させる回転機構部と、を有することを特徴とする。
【０００９】
この第１の構成のフィットネス装置においては、着座部に被施術者が着座した状態で回転機構部を作動させる。なお、被施術者が着座した状態では被施術者の両脚は着地した状態とする。回転機構部が作動すると、回転機構部は着座部を一定の方向に向けた状態で旋回させるので、着座している被施術者の臀部を腰部とともに旋回させることができる。よって、腰部を効果的に回転させることができ、腰椎及び股関節の回りの筋肉をほぐすとともに強化することができる。
【００１０】
なお、第１の構成を以下のようにしてもよい。すなわち、「フィットネス装置であって、被施術者が着座するための着座部と、該着座部を（「該着座部を駆動部の動力により」としてもよい）所定の旋回中心を中心に旋回させる回転機構部であって、該着座部を一定の方向に向けた状態で回転させる回転機構部と、を有することを特徴とするフィットネス装置。」としてもよい。
【００１１】
また、第２には、フィットネス装置であって、被施術者が着座するための着座部と、該着座部を（「該着座部を駆動部の動力により」としてもよい）円軌道又は楕円軌道に沿って旋回させる回転機構部であって、該着座部を一定の方向に向けた状態で旋回させる回転機構部と、を有することを特徴とするフィットネス装置。
【００１２】
この第２の構成のフィットネス装置においては、着座部に被施術者が着座した状態で回転機構部を作動させる。なお、被施術者が着座した状態では被施術者の両脚は着地した状態とする。回転機構部が作動すると、回転機構部は着座部を一定の方向に向けた状態で円軌道又は楕円軌道に沿って旋回させるので、着座している被施術者の臀部を腰部とともに旋回させることができる。よって、腰部を効果的に回転させることができ、腰椎及び股関節の回りの筋肉をほぐすとともに強化することができる。
【００１３】
なお、第２の構成を以下のようにしてもよい。すなわち、「フィットネス装置であって、被施術者が着座するための着座部と、該着座部を（「該着座部を駆動部の動力により」としてもよい）所定の旋回中心を中心に円軌道又は楕円軌道に沿って旋回させる回転機構部であって、該着座部を一定の方向に向けた状態で旋回させる回転機構部と、を有することを特徴とするフィットネス装置。」としてもよい。
【００１４】
また、第３には、上記第１又は第２の構成において、上記フィットネス装置が、回転機構部の動作を制御する制御部で、着座部の旋回方向を所定時間又は所定回数ごとに切り換える制御部を有することを特徴とする。よって、被施術者の腰部を旋回させる方向を所定時間又は所定回数ごとに切り換えることができるので、より効果的に腰部を旋回させることができ、より効果的に腰椎及び股関節の回りの筋肉をほぐすとともに強化することができる。
【００１５】
また、第４には、フィットネス装置であって、被施術者が着座するための着座部と、該着座部を回転させるための回転機構部で、回転力を出力する回転軸部を有する駆動部と、該駆動部の回転軸部の回転に伴い回転する回転ブラケットと、該回転ブラケットに回転自在に設けられ、その端部が該着座部に対して固定され、該回転軸部と所定の距離を介して設けられた回転ユニットで、回転ユニットの回転軸心が該駆動部の回転軸部の回転軸心と平行である回転ユニットで、周面が円弧状又は略円弧状に形成された回転部材を有する回転ユニットと、該駆動部の回転軸部と同軸に（すなわち、駆動部の回転軸部の中心軸とその中心軸とが一致するように）設けられ、フィットネス装置に固定して設けられた固定部材で、その周面が円弧状又は略円弧状に形成された固定部材で、該周面の円弧の径が該回転ユニットにおける回転部材の周面の円弧の径と同じに形成された固定部材と、該回転ユニットの回転部材と固定部材の間に設けられた連動部材と、を有し、該駆動部における回転軸部の回転に伴い、該着座部を一定の方向に向けた状態で旋回させる回転機構部と、を有することを特徴とする。
【００１６】
この第４の構成のフィットネス装置においては、着座部に被施術者が着座した状態で回転機構部を作動させる。なお、被施術者が着座した状態では被施術者の両脚は着地した状態とする。回転機構部の作動に際しては、駆動部の回転軸部を回転させる。駆動部の回転軸部が回転すると、これに伴い回転ブラケットが回転する。すると、回転ユニットが駆動部の回転軸部を中心に回転（回動としてもよい）し、これにより、着座部は駆動部の回転軸部を中心に旋回する。その際、回転ユニットにおける回転部材は、連動部材を介して固定部材と連動しており、駆動部における回転軸の回転に伴い、該着座部は一定の方向に向けた状態で旋回されるので、着座している被施術者の臀部を腰部とともに旋回させることができる。よって、腰部を効果的に回転させることができ、腰椎及び股関節の回りの筋肉をほぐすとともに強化することができる。
【００１７】
また、第５には、上記第４の構成において、上記連動部材は、タイミングベルトであることを特徴とする。
【００１８】
また、第６には、フィットネス装置であって、被施術者が着座するための着座部と、該着座部を回転させるための回転機構部で、回転力を出力する回転軸部を有する駆動部と、該駆動部の回転軸部に直接又は間接的に固定された回転ブラケットで、該駆動部の回転軸部の回転に伴い回転する回転ブラケットと、該回転ブラケットに回転自在に設けられ、該駆動部の回転軸部と平行で該回転軸部と所定の距離を介して設けられた第２回転軸部で、その端部が該着座部に対して固定された第２回転軸部と、該第２回転軸部と同軸に（すなわち、第２回転軸部の中心軸とその中心軸とが一致するように）該第２回転軸部に固定された回転部材であって、その周面に円弧状にベルト状部材と噛み合うための歯が設けられた回転部材と、該駆動部の回転軸部と同軸に（すなわち、駆動部の回転軸部の中心軸とその中心軸とが一致するように）設けられ、フィットネス装置に固定して設けられた固定部材で、その周面に円弧状にベルト状部材と噛み合うための歯が設けられた固定部材で、該回転部材と同径に形成された固定部材と、該回転部材と固定部材とに噛み合う無端形状のベルト状部材と、を有する回転機構部と、を有することを特徴とする。
【００１９】
この第６の構成のフィットネス装置においては、着座部に被施術者が着座した状態で回転機構部を作動させる。なお、被施術者が着座した状態では被施術者の両脚は着地した状態とする。回転機構部の作動に際しては、駆動部の回転軸部を回転させる。駆動部の回転軸部が回転すると、これに伴い回転ブラケットが回転する。すると、第２回転軸部と回転部材自体も駆動部の回転軸を中心に旋回し、これにより、着座部も駆動部の回転軸部を中心に旋回する。その際、回転部材と固定部材にはベルト状部材が噛み合っており、回転部材と固定部材とは同径であるので、該着座部は一定の方向に向いた状態で旋回される。よって、着座している被施術者の臀部を腰部とともに旋回させることができる。よって、腰部を効果的に回転させることができ、腰椎及び股関節の回りの筋肉をほぐすとともに強化することができる。
【００２０】
また、第７には、上記第６の構成において、上記ベルト状部材は、タイミングベルトであることを特徴とする。
【００２１】
また、第８には、上記第６又は第７の構成において、上記駆動部の回転軸部と回転ブラケット間には、該回転軸部と同軸に接続された回転軸部である接続回転軸部が設けられていることにより、駆動部の回転軸部と回転ブラケットとは間接的に固定されていることを特徴とする。
【００２２】
また、第９には、上記第８の構成において、上記固定部材は、上記接続回転軸部を回転可能に軸支する筐体部に固定されていることを特徴とする。
【００２３】
また、第１０には、上記第４から第９までのいずれかの構成において、上記固定部材は、上記駆動部の回転軸部を回転可能に軸支する筐体部に固定されていることを特徴とする。
【００２４】
また、第１１には、上記第４から第１０までのいずれかの構成において、上記回転部材と上記固定部材とは歯付きギア又は歯付きプーリであることを特徴とする。
【００２５】
また、第１２には、上記第４から第１１までのいずれかの構成において、上記フィットネス装置が、回転機構部における上記駆動部の動作を制御する制御部で、着座部の旋回方向を所定時間又は所定回数ごとに切り換えるように、駆動部の回転方向を所定時間又は所定回数ごとに切り換える制御部を有することを特徴とする。よって、被施術者の腰部を旋回させる方向を所定時間又は所定回数ごとに切り換えることができるので、より効果的に腰部を旋回させることができ、より効果的に腰椎及び股関節の回りの筋肉をほぐすとともに強化することができる。
【００２６】
また、第１３には、上記第１から第１２までのいずれかの構成において、上記フィットネス装置は、さらに、上記回転機構部を支持する支柱部を有することを特徴とする。
【００２７】
また、第１４には、上記第１３の構成において、上記支柱部は、回転機構部の高さを調整できるように伸縮自在となっていることを特徴とする。
【００２８】
また、第１５には、上記第１３又は第１４の構成において、上記フィットネス装置は、さらに、板状の台部であって、上記支柱部をその上面に支持する台部を有することを特徴とする。よって、被施術者は、台部の上面に脚を乗せた状態でフィットネス装置を使用することができる。
【００２９】
また、第１６には、上記第１から第１５までのいずれかの構成において、上記着座部は、被施術者の臀部を置くためのサドル状部を有することを特徴とする。
【００３０】
また、第１７には、上記第１６の構成において、上記サドル状部は、左右対称の形状で、正面側に行くほど幅狭となる形状を呈することを特徴とする。よって、被施術者はサドル状部を跨いだ状態でサドル状部に着座することになり、着座部が回転している際に、臀部がサドル状部から外れる頻度を小さくすることが可能となる。
【００３１】
なお、上記各構成において、上記の着座部に腰部を温めるための加温装置を取り付けて、腰部を温めながら捻り運動するようにしてもよい。また、上記の着座部に腰部を振動によりマッサージする振動装置を取り付けて、腰部をマッサージしながら捩り運動するようにしてもよい。また、着座部に電気治療器を取り付けるようにしてもよい。また、フィットネス装置に固定された把持部材で、被施術者が着座した状態で手で把持することができる把持部材を設けるものとしてもよい。
【発明の効果】
【００３２】
本発明に基づくフィットネス装置によれば、被施術者が着座部に着座した状態で回転機構部が作動すると、回転機構部は着座部を一定の方向に向けた状態で回転させるので、着座している被施術者の臀部が腰部とともに旋回される。よって、腰部を効果的に回転させることができ、腰椎及び股関節の回りの筋肉をほぐすとともに強化することができる。
【発明を実施するための最良の形態】
【００３３】
本発明の実施の形態としての実施例を図面を利用して説明する。本発明に基づくフィットネス装置（「腰部用回転装置」としてもよい）Ｐは、図１〜図３に示されるように、基部Ａと、回転機構部Ｂと、着座部Ｃとを有している。
【００３４】
ここで、基部Ａは、図１〜図３に示すように、台部１と、支柱部３と、補強板部７とを有している。この台部１は、板状の方形状の外観を有し、その上面は平面状となっている。この台部１の底面側には、クッション１ａが設けられている。
【００３５】
また、支柱部３は、台部１の上に立設されていて、略棒状を呈し伸縮自在に形成されている。すなわち、支柱部３は、支柱部本体４と、挿通部５とを有している。この支柱部本体４は、筒状を呈していて、その上側の側面には、ネジ穴部が設けられ、該ネジ穴部に締付け部材４ａがネジ止めされている。また、挿通部５は、略棒状を呈し、支柱部本体４内に挿通されている。この挿通部５は、支柱部本体４内を上下に摺動可能となっていて、締付け部材４ａにより締め付けることにより、挿通部５を所定の位置に固定できるようになっている。このように、支柱部３は伸縮自在であるので、これにより、回転機構部Ｂの高さを調整可能となっている。
【００３６】
また、補強板部７は、板状を呈していて、支柱部本体４の側面と台部１の上面に固定されている。この補強板部７は、複数（具体的には、３つ）設けられていて、３つの補強板部７は、平面視において点対称の位置に設けられている。そして、そのうちの１つは、正面側（Ｙ１側）に向けて設けられている。これにより、着座した者の脚がなるべくこの補強板部７に接触しないように構成されている。
【００３７】
次に、回転機構部Ｂは、着座部Ｃを常に一定の方向を向いた状態で回動させるための機構であり、駆動部２０と、第１軸部３０と、第１ギア（固定部材）４０と、回転ブラケット５０と、第２軸部（第２回転軸部）６０と、第２ギア（回転部材）７０と、タイミングベルト（ベルト状部材、連動部材）８０とを有している。
【００３８】
ここで、駆動部２０は、ケース部２２と、該ケース部２２内に設けられたモータ（図示せず）と、該モータに接続された減速器（図示せず）とを有している。つまり、該減速器は、モータの出力軸に接続され、モータの回転速度を減速させて出力するようになっている。なお、この減速器の出力軸（回転軸部）は、単位時間当たり所定回数回転するように設定されていて、例えば、１分当たり２０〜３０回（好適には、２５回）回転するように設定されている。なお、特許請求の範囲における駆動部は駆動部２０に相当するが、実質的には上記モータと減速器に相当する。また、この減速器の出力軸が、上記駆動部における「回転力を出力する回転軸部」に当たる。
【００３９】
また、ケース部２２は、ケース本体部２４と、ケース突状部２６と、突状片部２８とを有し、ケース本体部２４は、円柱状の外観を呈し、内部に該モータや該減速器を収納する収納空間を有している。ケース突状部２６は、円柱状の外観を呈し、ケース本体部２４の上端から突出して形成されている。このケース突状部２６の内部には、第１軸部３０を収納するための空間が設けられているとともに、ベアリング２７が設けられ、このベアリング２７は、該第１軸部３０を回転可能に軸支している。また、突状片部２８は、板状を呈し、ケース本体部２４の上端の側部に固定されているとともに、該挿通部５の上端に固定されている。
【００４０】
次に、第１軸部３０は、円柱状を呈し、該減速器の出力軸に接続され、その中心軸は垂直方向（つまり、Ｚ１−Ｚ２方向）を向いていて、該ベアリング２７に軸支されている。
【００４１】
また、第１ギア（「タイミングベルトプーリ」としてもよい）４０は略円柱状を呈してその周面が略円弧状に形成されているとともに、第１軸部３０を挿通するための挿通穴を有し、その周面には、タイミングベルト８０の歯とかみ合うための歯が設けられている。つまり、この第１ギア４０は円柱状の部材の周面に歯が設けられている形状を呈しており、また、各歯は同一の円弧状に形成されていて、各歯は同一形状で同一の大きさに形成されている。この第１ギア４０が円柱状の部材の周面に歯が設けられている形状を呈しているので、その意味で、第１ギア４０は略円柱状を呈し、その周面が略円弧状を呈しているといえる。この第１ギア４０は、該減速器の出力軸や第１軸部３０に同軸に設けられている。また、この第１ギア４０には、該第１軸部３０が回転可能に挿通されている。すなわち、この第１ギア４０は、第１軸部３０には固定されていない。また、第１ギア４０はケース部２２に固定されている。つまり、第１ギア４０は、ケース部２２におけるケース突状部２６の上端に固定して設けられている。つまり、この第１ギア４０は、特許請求の範囲における固定部材に当たる。この場合、このケース部２２は、上記筐体部に当たる。つまり、ケース部２２は、第１軸部３０を回転可能に軸支する筐体部に当たる。
【００４２】
また、回転ブラケット５０は、第１軸部３０が回転することに伴い第２軸部６０や第２ギア７０を回転させるとともに、第１軸部３０と、第１ギア４０と、第２軸部６０と、第２ギア７０と、タイミングベルト８０等をカバーする部材であり、本体板状部５２と、突状部５４と、周側部５６と、底板部５８を有している。ここで、本体板状部５２は、水平方向に設けられ、板状を呈し、平面視において、長方形状の両側に半円状部を合わせた外形形状、すなわち、トラック形状を呈している。なお、この本体板状部５２には、突状部５４の位置に開口部が設けられている。また、突状部５４は、円筒状を呈し、その内部にベアリング５５が設けられている。このベアリング５５は、第２軸部６０を回転可能に軸支するものである。また、周側部５６は、本体板状部５２の周端末部から下方に向けて設けられており、板状を呈している。また、底板部５８は、周側部５６の下端から連設されて、水平方向に設けられている。なお、底板部５８は、ケース突状部２６の部分は開口して形成されている。
【００４３】
なお、この回転ブラケット５０は、第１軸部３０の上端に固定されている。つまり、回転ブラケット５０における本体板状部５２は、固定部材又は溶接等の所定の固定手段により、第１軸部３０の上端に固定されている。その意味では、駆動部２０における回転軸部（つまり、減速器の出力軸）は第１軸部３０を介して間接的に回転ブラケット５０に固定されているといえる。なお、第１軸部３０は上記接続回転軸部に当たる。
【００４４】
また、第２軸部６０は、円柱状を呈し、該ベアリング５５に軸支され、その中心軸（回転軸心としてもよい）は垂直方向（つまり、Ｚ１−Ｚ２方向）を向いている。つまり、減速器の出力軸や第１軸部３０の中心軸と平行となっている。
【００４５】
また、第２ギア（「タイミングベルトプーリ」としてもよい）７０は略円柱状を呈するとともに、第２軸部６０を挿通するための挿通穴を有し、その周面には、タイミングベルト８０の歯とかみ合うための歯が設けられている。つまり、第２ギア６０の周面は略円弧状に形成されている。つまり、この第２ギア７０は円柱状の部材の周面に歯が設けられている形状を呈しており、また、各歯は同一の円弧状に形成されていて、各歯は同一形状で同一の大きさに形成されている。この第２ギア７０が円柱状の部材の周面に歯が設けられている形状を呈しているので、その意味で、第２ギア７０は略円柱状を呈し、その周面が略円弧状を呈しているといえる。この第２ギア７０は、第２軸部６０に同軸に設けられている。なお、第２軸部６０は、第２ギア７０の挿通穴に挿通されるとともに、第２軸部６０は第２ギア７０に固定されている。なお、この第２ギア７０の径と第１ギア４０の径は同一に形成されている。よって、第１ギア４０における中心軸と歯の外周間の距離と、第２ギア７０における中心軸と歯の外周間の距離とは同一に形成され、また、第１ギア４０における中心軸から歯間の溝部までの距離と、第２ギア７０における中心軸から歯間の溝部までの距離とは同一に形成されている。また、第１ギア４０における歯数と第２ギア７０における歯数とは同一となっている。なお、この第２軸部６０と第２ギア７０とで、上記回転ユニットが構成される。また、第２軸部６０と第２ギア７０とは、減速器における出力軸や第１軸部３０とは所定の距離を介して設けられている。
【００４６】
また、タイミングベルト８０は、第１ギア４０及び第２ギア７０と噛み合う無端ベルトであり、第１ギア４０や第２ギア７０と噛み合うための歯が内側面に設けられている。すなわち、このタイミングベルト８０は、タイミング歯付きベルトである。
【００４７】
また、操作部９０は、コードを介して、駆動部２０内のモータに接続されていて、モータの駆動を操作できるようになっている。なお、この操作部９０には、モータの動作を制御するための制御回路（制御部）も設けられていて、該制御回路は、所定時間ごとに回転方向を切り換える機能を有している。例えば、１分ごとに回転方向を切り換える機能を有している。なお、所定回転数ごとに回転方向を切り換えるようにしてもよい。
【００４８】
次に、着座部Ｃについて説明する。この着座部Ｃは、台板部１００と、サドル状部（「弾性部」又は「着座本体部」としてもよい）１０２とを有している。
【００４９】
ここで、台板部１００は、板状を呈し、第２軸部６０の上端に固定されている。つまり、第２軸部６０が回転すると、これに伴い、台板部１００も回転するようになっている。
【００５０】
また、サドル状部１０２は、台板部１００上に固定して設けられ、人間の臀部を載置して座ることができるようになっている。また、このサドル状部１０２は、被施術者の臀部を腰部とともに旋回させる案内シートとしての機能も果たす。ここで、サドル状部１０２は、略平板状の本体部１０２ａと、本体部１０２ａの後端から斜め後方に連設された突出部１０２ｂとを有している。この突出部１０２ｂは、着座した被施術者の腰椎をサポートする機能を果たす。また、このサドル状部１０２は、左右対称の形状で、正面側、すなわち、先端側に行くほど幅狭となる形状を呈している。つまり、サドル状部１０２は、平面視した場合に略三角形状を呈している。
【００５１】
上記構成のフィットネス装置Ｐの使用状態について説明する。このフィットネス装置Ｐによる施術を行う者（以下「被施術者」とする）は、着座部Ｃに着座する。その際、被施術者は、着座部Ｃに着座した状態で両足の裏面が台部１の上面に着地するように（図５参照）着座部Ｃの高さを調節する。この着座部Ｃの高さの調節に当たっては、基部Ａの支柱部３における挿通部５を上下移動させて、所望の位置で挿通部５を固定する。挿通部５の固定に当たっては、締付け部材４ａを締め付けることにより行う。なお、着座部Ｃの高さとしては、図５に示すように、被施術者が着座した際に、膝が若干折れ曲がる程度の高さとするのが好ましい。また、被施術者は着座した状態では、図５に示すように、背筋を伸ばした状態とするのが好ましい。
【００５２】
次に、被施術者は、操作部９０によりオン操作させることにより、モータが回転して着座部Ｃが回転して、腰部に対して捩り運動させることができる。つまり、モータが回転すると、減速器により減速された回転運動が第１軸部３０に伝えられる。そして、第１軸部３０がその軸芯Ｊを中心に回転すると、これに伴い回転ブラケット５０が回動する。つまり、回転ブラケット５０は、第１軸部３０の軸芯Ｊを中心にして回転する。これにより、着座部Ｃは、第１軸部３０の軸芯Ｊを中心に円軌道に沿って（すなわち、円状の軌道に沿って）旋回することになる。
【００５３】
この場合、着座部Ｃは該軸芯Ｊを中心に旋回するが、着座部Ｃは常に一定の方向（具体的には、正面方向（Ｙ１方向））を向いている。つまり、回転ブラケット５０が軸芯Ｊを中心に回転すると、第２軸部６０自体も当然軸芯Ｊを中心に旋回するが、第２軸部６０に固定された第２ギア７０がタイミングベルト８０と歯合しており、同じくタイミングベルト８０と歯合している第１ギア４０はケース部２２に固定されて回転しないため、第２軸部６０自体が軸芯Ｊを中心に旋回することにより、第２軸部６０自体は第２軸部６０の軸芯Ｋを中心にして回転する。つまり、第１ギア４０自体は回転しないため、タイミングベルト８０自体も周回移動せず、第２軸部６０とこれに固定された第２ギア７０が旋回することにより、第２ギア７０はタイミングベルト８０に対しては回転する。そして、第１ギア４０と第２ギア７０とが同じ径に形成されているので、第２ギア７０は、回転ブラケット５０に対しては回転して常に一定の方向を向いていることになる。
【００５４】
この点を図４等を使用して説明すると、Ｗ１に示す状態において、第１軸部３０が右回転すると、これに伴い回転ブラケット５０が第１軸部３０を中心に回動し、それに伴い、第２軸部６０や第２ギア７０自体が第１軸部３０を中心に旋回する。すると、第１ギア４０は固定されており、タイミングベルト８０は第１ギア４０に歯合しているので、第２軸部６０と第２ギア７０自体が旋回するに伴い、第２ギア７０は、タイミングベルト８０に対しては左回転する。この場合、第１ギア４０と第２ギア７０は同じ径に形成されているので、第２ギア７０は常に同じ方向を向くことになる。なお、図４において、第２ギア７０に示す三角形の印は第２ギア７０の方向を示している。
【００５５】
つまり、Ｗ２に示す状態、すなわち、Ｗ１の状態に対して第２軸部６０と第２ギア７０が９０度旋回した状態では、第２ギア７０はタイミングベルト８０に対して９０度回転して第２ギア７０はＷ１の状態の場合と同じ方向を向いたままとなる。同じように、Ｗ３に示す状態、すなわち、Ｗ２の状態に対して第２軸部６０と第２ギア７０が９０度旋回した状態では、第２ギア７０はタイミングベルト８０に対して９０度回転して第２ギア７０はＷ１の状態やＷ２の状態の場合と同じ方向を向いたままとなる。同じように、Ｗ４に示す状態、すなわち、Ｗ３の状態に対して第２軸部６０と第２ギア７０が９０度旋回した状態では、第２ギア７０はタイミングベルト８０に対して９０度回転して第２ギア７０はＷ１の状態やＷ２の状態やＷ３の状態の場合と同じ方向を向いたままとなる。
【００５６】
以上のように、第２ギア７０が第１軸部３０を中心に旋回しても、第２ギア７０は常に同じ方向を向いているので、第２軸部６０に固定された着座部Ｃも同じ方向を向いていることになり、図４に示す場合には、着座部Ｃは同じ方向（つまり、正面方向）を向いたまま右方向に旋回することになる。
【００５７】
なお、図４は、第１軸部３０が右回転する場合を例にとって説明したが、第１軸部３０が左回転する場合も同様に第２ギア７０は常に同じ方向を向いたまま第１軸部３０を中心に旋回するので、着座部Ｃは同じ方向（つまり、正面方向）を向いたまま左方向に旋回することになる。
【００５８】
そして、モータは、一定時間ごとに正逆回転を繰り返すので、これに伴い、着座部Ｃは、円軌道に沿って旋回し、一定時間ごとに右旋回と左旋回を交互に繰り返すことになる。具体的には、着座部Ｃが１分間右旋回した後は、１分間左旋回し、その後は、再度１分間右旋回をして、そのような動作を繰り返していく。なお、着座部Ｃは、一定時間ごとに右旋回と左旋回を繰り返すとしたが、所定の旋回回数ごとに右旋回と左旋回を交互に繰り返すものとしてもよい。
【００５９】
以上のように動作させることにより、被施術者は、臀部を腰部とともに旋回させる運動を行うことができ、よって、腰部を効果的に回転させることができ、腰椎及び股関節の回りの筋肉をほぐすとともに強化することができる。これにより、腰痛等の腰部障害に対応することができ、腰痛の緩和や腰痛の予防に効果を得ることができる。特に、被施術者が自分の力で着座部を回転させる必要がないので、腰部に余分な力が入ることがなく、腰部等を痛めることがない。また、上記のように、着座部Ｃは常に正面側を向いているので、被施術者は正面を向いた状態で腰部を回転させることができ、腰部を効果的に回転させることが可能となる。さらに、着座部Ｃは、一定時間（又は一定旋回回数）ごとに右旋回と左旋回を交互に繰り返すので、腰部を均等に回転させることができ、腰痛等の腰部障害をより効果的に緩和・予防することができる。
【００６０】
なお、上記の説明においては、着座部Ｃは、台板部１００とサドル状部１０２とを有するとして説明したが、図６、図７に示す構成としてもよい。
【００６１】
すなわち、図６、図７に示す実施例のフィットネス装置Ｐ’においては、着座部Ｃは、台板部１００と、サドル状部１０２と、補助部１０４とを有している。
【００６２】
ここで、補助部１０４は、背もたれとしての機能を果たすとともに、サドル状部１０２を載置する機能を果たすものであり、この補助部１０４は、底部１０４ａと、背もたれ部１０４ｂとを有していて、底部１０４ａは、板状を呈し、サドル状部１０２によって座ることができるように一部を除いて水平方向に向いた水平部分を有し、該水平部分の下面には、該台板部１００が固着されている。また、背もたれ部１０４ｂは、該底部１０４ａから連設され、底部１０４ａに対して斜めに傾斜して形成されている。
【００６３】
また、補助部１０４の上には、サドル状部１０２が固着して設けられている。なお、台板部１００とサドル状部１０２の構成は、上記と同様であるので、詳しい説明を省略する。
【００６４】
なお、上記の着座部Ｃに腰部を温めるための加温装置を取り付けて、腰部を温めながら捻り運動するようにしてもよい。また、上記の着座部Ｃに腰部を振動によりマッサージする振動装置（バイブレータとしてもよい）を取り付けて、腰部をマッサージしながら捩り運動するようにしてもよい。また、着座部Ｃに電気治療器を取り付けるようにしてもよい。
【００６５】
なお、上記の説明において、減速器の出力軸に第１軸部３０が接続されているとして説明したが、減速器の出力軸と第１軸部３０とを一体のものとして構成してもよい。その場合には、減速器の出力軸の上端が回転ブラケット５０に直接固定されることになる。
【００６６】
また、上記の説明において、第１ギア４０や第２ギア７０は歯付きギアであるとして説明したが、歯付きプーリとしてもよい。
【００６７】
また、上記の説明においては、第１ギア４０と第２ギア７０間にタイミングベルト８０を設けるとして説明したが、タイミングベルト８０以外のベルト状部材でもよいし、また、ベルト状部材以外の部材、例えば、遊星ギアを用いてもよい。
【００６８】
また、第１ギア４０や第２ギア７０は上記の構成であるとして説明したが、第１ギア４０と第２ギア７０間に設けられる部材（例えば、ベルト状部材）との連動が可能であれば、単なる円柱状の部材でもよい。
【００６９】
また、上記のフィットネス装置Ｐに、さらに、被施術者が着座して施術を受ける際に手でつかまることのできる部材、すなわち、把持部材を設けるものとしてもよい。例えば、台部１に棒状部材をコ字状に形成した把持部材をコ字状の開口部分を下向きにして設置して、被施術者が施術を受ける際にこの把持部材につかまることができるようにしてもよい。このようにすることにより、被施術者の上半身が不用意に動くのを防止することができる。
【００７０】
また、上記の説明においては、着座部Ｃは、円軌道に沿って旋回されるものとして説明したが、楕円軌道に沿って旋回されるようにしてもよい。
【図面の簡単な説明】
【００７１】
【図１】本発明の実施例に基づくフィットネス装置の構成を示す斜視図である。
【図２】本発明の実施例に基づくフィットネス装置の構成を示す腰部断面図である。
【図３】本発明の実施例に基づくフィットネス装置の構成を示す分解斜視図である。
【図４】本発明の実施例に基づくフィットネス装置の動作を説明するための説明図である。
【図５】本発明の実施例に基づくフィットネス装置の使用状態を説明するための説明図である。
【図６】本発明の他の実施例に基づくフィットネス装置の構成を示す斜視図である。
【図７】本発明の他の実施例に基づくフィットネス装置の構成を示す腰部断面図である。
【符号の説明】
【００７２】
Ｐ、Ｐ’  フィットネス装置
Ａ  基部
Ｂ  回転機構部
Ｃ  着座部
１  台部
３  支柱部
２０  駆動部
２２  ケース部
３０  第１軸部
４０  第１ギア
５０  回転ブラケット
６０  第２軸部
７０  第２ギア
８０  タイミングベルト
１００  台板部
１０２  サドル状部
１０４  補助部
【図１】
2005095369.tif 000003
【図２】
2005095369.tif 000004
【図３】
2005095369.tif 000005
【図４】
2005095369.tif 000006
【図５】
2005095369.tif 000007
【図６】
2005095369.tif 000008
【図７】
2005095369.tif 000009